【手続補正書】
【提出日】平成18年4月28日(2006.4.28)
【手続補正１】
【補正対象書類名】明細書
【補正対象項目名】発明の名称
【補正方法】変更
【補正の内容】
【発明の名称】ディジタルカメラ及びその制御方法並びに記憶媒体
【手続補正２】
【補正対象書類名】明細書
【補正対象項目名】特許請求の範囲
【補正方法】変更
【補正の内容】
【特許請求の範囲】
【請求項1】
被写体像を固体撮像素子により電気信号に変換する撮像手段と、
前記電気信号を画像データとして記憶媒体に記憶する画像データ記憶手段と、
他のディジタルカメラから転送されるべき画像データとそのデータ量を示す転送要求を受信する転送要求受信手段と、
前記転送要求で示される画像データ量と前記記憶媒体の残容量とを比較する比較手段と、
前記比較手段の比較結果に従い、前記転送手段で示される全画像データを前記記憶媒体に記憶可能な場合には、転送を承認する旨の応答を前記他のディジタルカメラに送信し、前記転送手段で示される全画像データを前記記憶媒体に記憶することが不可能な場合には、前記転送要求で示される画像データのうち外部操作に基づき選択される画像データの転送を承認する旨の応答を前記他のディジタルカメラに送信する応答送信手段と、
前記応答送信手段による応答の送信後に前記他のディジタルカメラから送信される画像データを受信する画像データ受信手段
とを具備することを特徴とするディジタルカメラ。
【請求項２】
前記転送手段で示される全画像データを前記記憶媒体に記憶することが不可能な場合に、前記外部操作により、転送すべき画像データを選択する画像選択画面を表示部に表示する表示制御手段を有する請求項１に記載のディジタルカメラ。
【請求項３】
前記画像データの受信に先立ち、前記他のディジタルカメラから転送される画像データの属性情報を受信する属性情報受信手段を有し、
前記表示制御手段は、前記画像選択画面に前記属性受信手段により受信した前記属性情報を表示する
ことを特徴とする請求項２に記載のディジタルカメラ。
【請求項４】
前記属性情報は、前記他のディジタルカメラから転送される画像データのファイル名であることを特徴とする請求項３に記載のディジタルカメラ。
【請求項５】
前記属性情報は、前記他のディジタルカメラから転送される画像データのサムネイルであることを特徴とする請求項３に記載のディジタルカメラ。
【請求項６】
前記属性情報は、前記他のディジタルカメラから転送される画像データに対応付けられた音声データであることを特徴とする請求項３に記載のディジタルカメラ。
【請求項７】
被写体像を固体撮像素子により電気信号に変換する撮像手段と、
前記電気信号を画像データとして記憶媒体に記憶する画像データ記憶手段と、
前記画像データ記憶手段により記憶された画像データの内の、送信すべき画像データのデータ量を示す転送要求を他のディジタルカメラに送信する転送要求送信手段と、
前記他のディジタルカメラからの前記転送要求に対する応答を受信する応答受信手段と、
前記応答受信手段により受信した応答が転送を承認する旨の応答であった場合に、前記転送要求をした全画像データを送信し、前記転送を承認する旨の応答において転送を要求する画像データのうち一部の画像データの転送が承認されている場合に、転送が承認されている画像データを送信する送信手段
とを具備することを特徴とするディジタルカメラ。
【請求項８】
更に、前記応答受信手段により受信した応答が転送を拒絶する旨の応答であった場合に、その旨を表示する表示部を具備することを特徴とする請求項７に記載のディジタルカメラ。
【請求項９】
前記応答受信手段により転送を承認する旨の応答を受信した場合に、すべての画像の転送が承認されたのかまたは画像の一部の転送が承認されたかを表示する表示手段を具備することを特徴とする請求項７に記載のディジタルカメラ。
【請求項１０】
更に、前記画像データの送信に先立ち、前記他のディジタルカメラに送信する画像データの属性情報を送信する属性送信手段を有することを特徴とする請求項７に記載のディジタルカメラ。
【請求項１１】
前記属性情報は、前記他のディジタルカメラに転送する画像データのファイル名であることを特徴とする請求項１０に記載のディジタルカメラ。
【請求項1２】
前記属性情報は、前記他のディジタルカメラに転送する画像データのサムネイルであることを特徴とする請求項１０に記載のディジタルカメラ。
【請求項１３】
前記属性情報は、前記他のディジタルカメラに転送する画像データに対応付けられた音声データであることを特徴とする請求項１０に記載のディジタルカメラ。
【請求項1４】
被写体像を固体撮像素子により電気信号に変換する撮像手段と、
前記電気信号を画像データとして記憶媒体に記憶する画像データ記憶手段と、
他のディジタルカメラと通信する通信手段
とを具備するディジタルカメラの制御方法であって、
前記他のディジタルカメラから転送されるべき画像データとそのデータ量を示す転送要求を受信する転送要求受信ステップと、
前記転送要求で示される画像データ量と前記記憶媒体の残容量とを比較する比較ステップと、
前記比較ステップの比較結果に従い、前記転送ステップで示される全画像データを前記記憶媒体に記憶可能な場合には、転送を承認する旨の応答を前記他のディジタルカメラに送信し、前記転送手段で示される全画像データを前記記憶媒体に記憶することが不可能な場合には、前記転送要求で示される画像データのうち外部操作に基づき選択される画像データの転送を承認する旨の応答を前記他のディジタルカメラに送信する応答送信ステップと、
前記応答送信ステップによる応答を送信した後、前記他のディジタルカメラから画像データを受信する受信ステップ
とを具備することを特徴とするディジタルカメラの制御方法。
【請求項１５】
被写体像を固体撮像素子により電気信号に変換する撮像手段と、
前記電気信号を画像データとして記憶媒体に記憶する画像データ記憶手段
とを具備するディジタルカメラの制御方法であって、
前記画像データ記憶手段により記憶された画像データの内の、送信すべき画像データのデータ量を示す転送要求を他のディジタルカメラに送信する転送要求送信ステップと、
前記他のディジタルカメラからの前記転送要求に対する応答を受信する応答受信ステップと、
前記応答受信ステップにより受信した応答が転送を承認する旨の応答であった場合に、前記転送要求をした全画像データを送信し、前記転送を承認する旨の応答において転送を要求する画像データのうち一部の画像データの転送が承認されている場合に、転送が承認されている画像データを送信する送信ステップ
とを具備することを特徴とするディジタルカメラの制御方法。
【請求項１６】
被写体像を固体撮像素子により電気信号に変換する撮像手段と、
前記電気信号を画像データとして記憶媒体に記憶する画像データ記憶手段と、
他のディジタルカメラと通信する通信手段
とを具備するディジタルカメラにインストールされ、前記ディジタルカメラを制御するプログラムを読み出し可能に記憶する記憶媒体であって、当該プログラムが、
前記他のディジタルカメラから転送されるべき画像データとそのデータ量を示す転送要求を受信する転送要求受信ステップと、
前記転送要求で示される画像データ量と前記記憶媒体の残容量とを比較する比較ステップと、
前記比較ステップの比較結果に従い、前記転送ステップで示される全画像データを前記記憶媒体に記憶可能な場合には、転送を承認する旨の応答を前記他のディジタルカメラに送信し、前記転送手段で示される全画像データを前記記憶媒体に記憶することが不可能な場合には、前記転送要求で示される画像データのうち外部操作に基づき選択される画像データの転送を承認する旨の応答を前記他のディジタルカメラに送信する応答送信ステップと、
前記応答送信ステップによる応答を送信した後、前記他のディジタルカメラから画像データを受信する受信ステップ
とを具備することを特徴とする記憶媒体。
【請求項１７】
被写体像を固体撮像素子により電気信号に変換する撮像手段と、
前記電気信号を画像データとして記憶媒体に記憶する画像データ記憶手段
とを具備するディジタルカメラにインストールされ、前記ディジタルカメラを制御するプログラムを読み出し可能に記憶する記憶媒体であって、当該プログラムが、
前記画像データ記憶手段により記憶された画像データの内の、送信すべき画像データのデータ量を示す転送要求を他のディジタルカメラに送信する転送要求送信ステップと、
前記他のディジタルカメラからの前記転送要求に対する応答を受信する応答受信ステップと、
前記応答受信ステップにより受信した応答が転送を承認する旨の応答であった場合に、前記転送要求をした全画像データを送信し、前記転送を承認する旨の応答において転送を要求する画像データのうち一部の画像データの転送が承認されている場合に、転送が承認されている画像データを送信する送信ステップ
とを具備することを特徴とする記憶媒体。
【手続補正３】
【補正対象書類名】明細書
【補正対象項目名】０００１
【補正方法】変更
【補正の内容】
【０００１】
【発明の属する技術分野】
本発明は、ディジタルカメラ及びその制御方法並びに記憶媒体に関する。
【手続補正４】
【補正対象書類名】明細書
【補正対象項目名】０００６
【補正方法】変更
【補正の内容】
【０００６】
本発明は、限られた画像記憶容量に対する画像転送の操作性を改善するディジタルカメラ及びその制御方法並びに記憶媒体を提示することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
【課題を解決するための手段】
本発明に係るディジタルカメラは、被写体像を固体撮像素子により電気信号に変換する撮像手段と、前記電気信号を画像データとして記憶媒体に記憶する画像データ記憶手段と、他のディジタルカメラから転送されるべき画像データとそのデータ量を示す転送要求を受信する転送要求受信手段と、前記転送要求で示される画像データ量と前記記憶媒体の残容量とを比較する比較手段と、前記比較手段の比較結果に従い、前記転送手段で示される全画像データを前記記憶媒体に記憶可能な場合には、転送を承認する旨の応答を前記他のディジタルカメラに送信し、前記転送手段で示される全画像データを前記記憶媒体に記憶することが不可能な場合には、前記転送要求で示される画像データのうち外部操作に基づき選択される画像データの転送を承認する旨の応答を前記他のディジタルカメラに送信する応答送信手段と、前記応答送信手段による応答の送信後に前記他のディジタルカメラから送信される画像データを受信する画像データ受信手段とを具備することを特徴とする。
【手続補正８】
【補正対象書類名】明細書
【補正対象項目名】００１０
【補正方法】変更
【補正の内容】
【００１０】
本発明に係るディジタルカメラは、被写体像を固体撮像素子により電気信号に変換する撮像手段と、前記電気信号を画像データとして記憶媒体に記憶する画像データ記憶手段と、前記画像データ記憶手段により記憶された画像データの内の、送信すべき画像データのデータ量を示す転送要求を他のディジタルカメラに送信する転送要求送信手段と、前記他のディジタルカメラからの前記転送要求に対する応答を受信する応答受信手段と、前記応答受信手段により受信した応答が転送を承認する旨の応答であった場合に、前記転送要求をした全画像データを送信し、前記転送を承認する旨の応答において転送を要求する画像データのうち一部の画像データの転送が承認されている場合に、転送が承認されている画像データを送信する送信手段とを具備することを特徴とする。
【手続補正９】
【補正対象書類名】明細書
【補正対象項目名】００１１
【補正方法】変更
【補正の内容】
【００１１】
本発明に係るディジタルカメラの制御方法は、被写体像を固体撮像素子により電気信号に変換する撮像手段と、前記電気信号を画像データとして記憶媒体に記憶する画像データ記憶手段と、他のディジタルカメラと通信する通信手段とを具備するディジタルカメラの制御方法であって、前記他のディジタルカメラから転送されるべき画像データとそのデータ量を示す転送要求を受信する転送要求受信ステップと、前記転送要求で示される画像データ量と前記記憶媒体の残容量とを比較する比較ステップと、前記比較ステップの比較結果に従い、前記転送ステップで示される全画像データを前記記憶媒体に記憶可能な場合には、転送を承認する旨の応答を前記他のディジタルカメラに送信し、前記転送手段で示される全画像データを前記記憶媒体に記憶することが不可能な場合には、前記転送要求で示される画像データのうち外部操作に基づき選択される画像データの転送を承認する旨の応答を前記他のディジタルカメラに送信する応答送信ステップと、前記応答送信ステップによる応答を送信した後、前記他のディジタルカメラから画像データを受信する受信ステップとを具備することを特徴とする。
【手続補正１０】
【補正対象書類名】明細書
【補正対象項目名】００１２
【補正方法】変更
【補正の内容】
【００１２】
本発明に係るディジタルカメラの制御方法は、被写体像を固体撮像素子により電気信号に変換する撮像手段と、前記電気信号を画像データとして記憶媒体に記憶する画像データ記憶手段とを具備するディジタルカメラの制御方法であって、前記画像データ記憶手段により記憶された画像データの内の、送信すべき画像データのデータ量を示す転送要求を他のディジタルカメラに送信する転送要求送信ステップと、前記他のディジタルカメラからの前記転送要求に対する応答を受信する応答受信ステップと、前記応答受信ステップにより受信した応答が転送を承認する旨の応答であった場合に、前記転送要求をした全画像データを送信し、前記転送を承認する旨の応答において転送を要求する画像データのうち一部の画像データの転送が承認されている場合に、転送が承認されている画像データを送信する送信ステップとを具備することを特徴とする。
【手続補正１１】
【補正対象書類名】明細書
【補正対象項目名】００１３
【補正方法】変更
【補正の内容】
【００１３】
本発明に係る記憶媒体には、上記制御方法を実行するプログラムが読み出し可能に格納される。